(57)【特許請求の範囲】
【請求項１】
クロスヘッド(31)から押出されて垂下したパリソン(7)を互いに直交する第１方向(A)及び第２方向(B)に長手形状のカッター刃(2)を移動させて切断すると共に、前記カッター刃(2)の長手方向を前記カッター刃(2)が移動する前記第１方向(A)に対して直交とし、かつ、前記第１方向（A)と直交する前記第２方向(B)すなわち前記長手方向に沿って前記カッター刃(2)を移動させることを特徴とするパリソン切断方法。
【請求項２】
クロスヘッド(31)から押出されて垂下したパリソン(7)を互いに直交する第１方向(A)及び第２方向(B)に長手形状のカッター刃(2)を移動させて切断すると共に、前記カッター刃(2)の長手方向を前記カッター刃(2)が移動する前記第１方向(A)に対して非直交とし、かつ、前記第１方向（A)と直交する第２方向(B)に沿って前記カッター刃(2)を移動させることを特徴とするパリソン切断方法。
【請求項３】
前記カッター刃(2)を常温状態で用いることを特徴とする請求項１又は２記載のパリソン切断方法。
【請求項４】
クロスヘッド(31)から押出されて垂下したパリソン(7)を第１モータ(5)の駆動による長手形状のカッター刃(2)で切断するようにしたパリソン切断装置において、前記カッター刃(2)を支持するカッターホルダ(1)と、前記第１モータ(5)を支持するモータホルダ(13)と、前記カッターホルダ(1)を第１方向(A)に沿って前記第１モータ(5)により移動させるための第１直線移動手段(6)と、前記モータホルダ(13)を前記第１方向(A)と直交する第２方向(B)に沿って移動させるための第２モータ(22)を有する第２直線移動手段(25)とを備え、前記カッター刃(2)は前記各方向(A,B)の合成方向(C)に移動できることを特徴とするパリソン切断装置。
【請求項５】
前記第１直線移動手段(6)は、前記カッターホルダ(1)に接続されたラック(3)と、前記第１モータ(5)に設けられたピニオン(15)とからなり、前記第２直線移動手段(25)は、前記モータホルダ(13)を移動自在に支持する固定支持体(20)と、前記固定支持体(20)に回転自在に設けられたねじ体(23)と、前記ねじ体(23)に螺合され前記モータホルダ(13)に接続されたナット体(24)と、前記第２モータ(22)により回転されるねじ体(23)とからなることを特徴とする請求項４記載のパリソン切断装置。
【請求項６】
前記カッター刃(2)の長手方向は前記第１方向(A)と直交していることを特徴とする請求項４又は５記載のパリソン切断装置。
【請求項７】
前記カッター刃(2)の長手方向は前記第１方向(A)と非直交状態であることを特徴とする請求項４又は５記載のパリソン切断装置。
【請求項８】
前記第１モータ(5)及び第２モータ(22)は、同一速度又は異なる速度で回転させることを特徴とする請求項４ないし７の何れかに記載のパリソン切断装置。
【請求項９】
前記カッター刃(2)の表面には減摩剤が設けられていることを特徴とする請求項４ないし８の何れかに記載のパリソン切断装置。
【請求項１０】
前記カッター刃(2)は、断面形状が三角形で両刃を形成していることを特徴とする請求項４ないし９の何れかに記載のパリソン切断装置。
【発明の詳細な説明】
【０００１】
【発明の属する技術分野】
本発明は、パリソン切断方法及び装置に関し、特に、互いに直交する２方向の直線移動を長手形状のカッター刃に与えることにより、パリソンに対して２方向の合成方向の移動を用いて常温のカッター刃でも安定した切り口が形成できるようにするための新規な改良に関する。
【０００２】
【従来の技術】
従来、用いられていたこの種のパリソン切断方法としては、特開平５−６９４７４号公報及び特開平８−３０９８３８号公報に開示された構成を挙げることができる。すなわち、特開平５−６９４７４号公報に開示された第１従来例の構成は、図６に示されるように、コ字型のカッターホルダ１に設けられた長手形状の電熱型のカッター刃２を、ラック３とピニオン４及びモータ５からなる直線移動手段６を介して矢印Ａ方向に直線移動させることによりパリソン７を切断するようにしていた。
また、特開平８−３０９８３８号公報に開示された第２従来例の構成は、支点を中心として１回転するナイフ状の短刃をシリンダを介して直動させることにより、短刃に対して回転と直動の合成方向の動きを与えることによりパリソンの切り口を安定させるように構成している。
【０００３】
【発明が解決しようとする課題】
従来のパリソン切断方法は、以上のように構成されていたため、次のような課題が存在していた。すなわち、第１従来例の構成の場合、カッター刃を一方の方向のみに移動させ、カッター刃を加熱した状態で切っていたため、１ｍｍ以下の薄物パリソン、直径１０ｍｍの細径パリソン、ＰＥＴ及びＰＡ樹脂等の粘度が低いパリソンなどの腰が弱いものについても電熱カッター刃で安定した切り口が得られる反面、電熱カッター刃によってパリソンが燃える火災の危険性が万一あった場合には、電熱を切断する等の安全装置が必要となり、その分だけコストアップとなっていた。また、パリソン切断時に、熱によってモノマーガス及び炭化微粒子による室内（クリーンルーム）の空気の汚れが発生していた。また、カッター刃の表面に樹脂の焼け物や顔料等が付着し、切れ味が低下することになる。
また、第２従来例の場合、カッター刃を回転させつつ直動動作を与えなければならないため、構造が極めて複雑となり、コストダウン及びメンテナンスが困難である。また、何らかの原因でカッター刃が脱落すると回転により操作者に向かって飛び大ケガをする危険が存在する。
【０００４】
本発明は、以上のような課題を解決するためになされたもので、特に、互いに直交する２方向の直線移動を長手形状のカッター刃に与えることにより、パリソンに対して２方向の合成方向の移動を用いて常温のカッター刃でも安定した切り口が形成できるようにしたパリソン切断方法及び装置を提供することを目的とする。
【０００５】
【課題を解決するための手段】
本発明によるパリソン切断方法は、クロスヘッドから押出されて垂下したパリソンを互いに直交する第１方向及び第２方向に長手形状のカッター刃を移動させて切断すると共に、前記カッター刃の長手方向を前記カッター刃が移動する前記第１方向に対して直交とし、かつ、前記第１方向と直交する前記第２方向すなわち前記長手方向に沿って前記カッター刃を移動させる方法であり、また、クロスヘッドから押出されて垂下したパリソンを互いに直交する第１方向及び第２方向に長手形状のカッター刃を移動させて切断すると共に、前記カッター刃の長手方向を前記カッター刃が移動する前記第１方向に対して非直交とし、かつ、前記第１方向と直交する第２方向に沿って前記カッター刃を移動させる方法であり、さらに、前記カッター刃を常温状態で用いる方法である。
また本発明によるパリソン切断装置は、クロスヘッドから押出されて垂下したパリソンを第１モータの駆動による長手形状のカッター刃で切断するようにしたパリソン切断装置において、前記カッター刃を支持するカッターホルダと、前記第１モータを支持するモータホルダと、前記カッターホルダを第１方向に沿って前記第１モータにより移動させるための第１直線移動手段と、前記モータホルダを前記第１方向と直交する第２方向に沿って移動させるための第２モータを有する第２直線移動手段とを備え、前記カッター刃は前記各方向の合成方向に移動できる構成であり、また、前記第１直線移動手段は、前記カッターホルダに接続されたラックと、前記第１モータに設けられたピニオンとからなり、前記第２直線移動手段は、前記モータホルダを移動自在に支持する固定支持体と、前記固定支持体に回転自在に設けられたねじ体と、前記ねじ体に螺合され前記モータホルダに接続されたナット体と、前記第２モータにより回転されるねじ体とからなる構成であり、また、前記カッター刃の長手方向は前記第１方向と直交している構成であり、また、前記カッター刃の長手方向は前記第１方向と非直交状態とした構成である。
また、前記第１モータ及び第２モータは、同一速度又は異なる速度で回転させる構成であり、また、前記カッター刃の表面には減摩剤が設けられている構成であり、さらに、前記カッター刃は、断面形状が三角形で両刃を形成している構成である。
【０００６】
【発明の実施の形態】
以下、図面と共に本発明によるパリソン切断方法及び装置の好適な実施の形態について説明する。なお、従来例と同一又は同等部分については同一符号を用いて説明する。
図１において、符号１で示されるものは全体形状がコ字型をなすカッターホルダであり、このカッターホルダ１両端部１ａ，１ｂ間にはカッター刃２が設けられている。前記一方の両端部１ａにはこのカッター刃２を張設するためのばね８がカッター刃２の突出延長部２ａに設けられ、この突出延長部２ａの端部に形成されたストッパ２ｂと前記端部１ａとの間に前記ばね８が圧縮した状態で設けられている。
【０００７】
前記カッターホルダ１の１対のリニアブッシュ９，１０に作動自在に設けられた各シャフト１１，１２は、減速機５ａを備えた第１モータ５を有する箱型のモータホルダ１３に固定部１４を介して固定されており、前記カッターホルダ１の前記各リニアブッシュ９，１０間に接続されたラック３は前記固定部１４及びモータホルダ１３を貫通して配設され、前記第１モータ５の軸に設けられたピニオン１５が前記ラック３に噛合している。従って、このピニオン１５の回転によってラック３及びカッター刃２が第１方向Ａに沿って往復移動することにより第１モータ５、ピニオン１５、ラック３により第１直線移動手段６を構成している。なお、この第１直線移動手段６は前述の構成に限ることなく、周知のボールねじとナット又はシリンダ等を用いることもできる。
【０００８】
前記モータホルダ１３には、リニアブッシュ１３ａを介して固定支持体２０が設けられ、この固定支持体２０が成形機架台２１に固定されていることによりモータホルダ１３及びカッターホルダ１が前記第１方向Ａとは直交する方向の第２方向Ｂに沿って往復移動することができるように構成されている。前記固定支持体２０側には第２モータ２２が設けられ、この第２モータ２２にカップリング２３ａを介して接続されたねじ体２３にはナット体２４が螺合されており、このナット体２４が前記モータホルダ１３に接続されていることによりこの第２モータ２２の回転と連動してモータホルダ１３が第２方向Ｂに沿って移動する。従って、この第２モータ２２、ねじ体２３、ナット体２４により前記第１直線移動手段６とは直交する第２直線移動手段２５を構成しているが、この第２直線移動手段２５は前述の構成に限ることなく、ラックアンドピニオン又はシリンダ等を用いることもできる。
【０００９】
次に、動作について説明する。前述の構成において、図２で示されるように、押出機３０のクロスヘッド３１から押出されて金型３２で挟持されたパリソン７に対し、各モータ５，２２を用いて各直線移動手段６，２５を作動させてカッター刃２を移動させると、図３で示されるように、各方向Ａ，Ｂの合成方向Ｃすなわち各方向Ａ，Ｂに対して傾斜した方向にカッター刃２が移動し、パリソン７はカッター刃２が傾斜した方向に移動しつつ切断される。従って、従来の直動のみの切断動作よりも、切断が安定し、カッター刃２を加熱する必要もなく、常温状態で切断が確実に行われる。
【００１０】
前述の各モータ５，２２の回転速度を同一とすると、図３の合成方向においてパリソン７の切断が行われるが、各モータ５，２２の速度を図４のように任意に設定することにより、パリソン７の材質によって変更し、腰の弱いパリソン７ほど第１モータ５の速度を遅くし、かつ第２モータ２２の速度を早くしてソフト状態で切断すると確実な切断が行われる。
【００１１】
前述の説明であきらかなように、前述の構成では、カッター刃２の長手方向が前記第２方向Ｂと完全に平行となるように構成されているが、図５で示す他の形態においては、カッター刃２の長手方向が第２方向Ｂとは平行でなくかつ第１方向Ａとは非直交状態となるように構成されている。
すなわち、図５のようにカッター刃２を図１の構成に対して傾斜させた取付状態とすることにより、前述の腰の弱いパリソン７に対して安全な切り口を得ることができる。
【００１２】
また、パリソン７が２個又は複数の場合（図１、図３に示す）には、図示していないが、各パリソン７用に各々独立したカッター刃２を設けて切断した方が、パリソン７に接触して切り終わるまでの時間が同一となり、各パリソン７の切り口が同一状態となる。また、カッター刃２の表面にはテフロン（ポリテトラフルオロエチレン）等の減摩剤をコーティングさせた場合には、切れ味が向上し、その断面形状が三角形（図示せず）をなす両刃型とした場合には、往復で切断動作を行うことができる。
【００１３】
【発明の効果】
本発明によるパリソン切断方法及び装置は、以上のように構成されているため、次のような効果を得ることができる。
すなわち、互いに直交して異なる２方向にカッター刃を移動させ、得られる合成方向においてパリソンを切断するため、従来よりも刃を傾斜（刃先を押し付けてクサビ効果で切るだけでなく、横に引きながら切断抵抗を減少させて切る）させた状態でパリソンを切ることができ、腰の弱いパリソンでも自在に切り口を変形させず安全に切断することができる。また、１対のモータの速度を変えることによって、パリソンに対するカッター刃の切断速度を自在に変えることができ、パリソンの材質及び状態を問わず断面が変形することなく良好な切り口を得ることができる。
また、常温のカッター刃で切断するため、モノマーガスや炭化微粒子の発生防止ができ、クリーンルーム内での作業を一層クリーンに保つことができる。
また、カッター刃の表面に減摩剤が設けられているため、カッター刃に付着物が付かず、清掃のために機械を止める回数を減らすことができ、生産性の向上を得ることができる。さらに、刃面に従来のような焼けこげが付着することもなく、リサイクル処理に悪影響を及ぼすこともない。
【図面の簡単な説明】
【図１】本発明によるパリソン切断方法を適用する装置を示す構成図である。
【図２】図１の要部の正面図である。
【図３】図１のカッター刃の動作を示す構成図である。
【図４】図１のカッター刃の動作モードを示す説明図である。
【図５】図１の他の形態を示す構成図である。
【図６】従来のパリソン切断方法を示す構成図である。
【符号の説明】
１    カッターホルダ
２    カッター刃
３    ラック
Ａ    第１方向
Ｂ    第２方向
Ｃ    合成方向
５    第１モータ
６    第１直線移動手段
７    パリソン
１３    モータホルダ
１５    ピニオン
２０    固定支持体
２２    第２モータ
２３    ねじ体
２４    カム体
２５    第２直線移動手段
３１    クロスヘッド
【図１】
0003734609.tif 000002
【図２】
0003734609.tif 000003
【図３】
0003734609.tif 000004
【図４】
0003734609.tif 000005
【図５】
0003734609.tif 000006
【図６】
0003734609.tif 000007